(57)【要約】      （修正有）【課題】従来のマンション等は専有面積が狭く、特に寝室はベットを置くと残りのスペースが少なく不便を来たしていたが、壁面上部空間を有効利用して、不便を解決できる昇降式ハイキャビネットを提供する。【解決手段】ハイキャビネット１と、ガイドレール固定基盤１４と、昇降装置の構成からなる上下自在収納具で、セットされたガイドレール固定基盤１４を上部の壁軸組に固定ビス１６で止める。次に背面にガイド具が付いたハイキャビネット１をガイドレール兼竪枠１７の溝に下から持ち上げ、上部位置で落下防止金具を利かせる。以後、昇降用ワイヤー２２を下部重量箱両端固定のレベル調整金具に結締処置、最後にバランスとレベル調整を行い試運転で完了となるが、稼働時のバランスは分銅装具と予備分銅で調整が出来る昇降式ハイキャビネット１を設けて解決する。【選択図】図１
0003210593.tif 000002
【実用新案登録請求の範囲】
【請求項１】
ハイキャビネットと、ガイドレール固定基盤と、昇降装置の構成からなる上下自在収納具で、前記昇降装置は、昇降用滑車と昇降用ワイヤーからなり、前記ハイキャビネットと重量箱を結締しバランスを取ることを特徴とする、昇降式ハイキャビネット。
【請求項２】
前記ハイキャビネットは、背面上部の両側にガイド具を取り付け、前記昇降用滑車と前記昇降用ワイヤーによりガイド昇降を可能としたことを特徴とした、請求項１記載の昇降式ハイキャビネット。
【請求項３】
前記ガイドレール固定基盤は、壁面に直接取り付ける剛性パネルからなり、両側にガイドレール兼竪枠、上部は前記昇降用滑車を吊る受木上枠、下部はガイドレール兼竪枠の足元固定兼用下枠で、四方を堅固にしたことを特徴とした、請求項１又は請求項２記載の昇降式ハイキャビネット。
【請求項４】
前記昇降装置は、前記ガイドレール固定基盤の上部受木枠に前記昇降用滑車を左右二箇所吊り、前記昇降用ワイヤーの端部を前記ハイキャビネット背面の前記ガイド具に結締してから、前記昇降用滑車を通して前記重量箱両端のレベル調整金具に結締したことを特徴とする、請求項１から請求項３いずれか記載の昇降式ハイキャビネット。
【請求項５】
前記昇降装置の稼働時のバランス調整は、下部分銅装具の予備分銅で行うことを特徴とした、請求項１から請求項４いずれか記載の昇降式ハイキャビネット。
【考案の詳細な説明】
【技術分野】
【０００１】  本考案は、マンション等の寝室や小部屋面積の有効活用改善に考慮した、昇降式ハイキャビネットに関するものである。
【背景技術】
【０００２】  従来の、マンション等は専有面積が狭く、特に寝室はベットを置くと残りのスペースが少なくなり不便を来たしていた。【０００３】  特許文献１（参照）は収納具が天井吊りで後設置の場合は補強に問題が生じることと、収納具の高さや形状はマンション等の仕様機能に適合していない。本考案は、寝室や小部屋の狭い面積の有効活用改善である。
【先行技術文献】
【特許文献】
【０００４】
【特許文献１】特開２０１２−１３５３９１号公報
【特許文献２】特開２００７−３０９０６号公報
【考案の概要】
【考案が解決しようとする課題】
【０００５】  前記に述べた通り、マンション等は全般的に間取りが狭く、特に寝室はベットを置くと残りのスペースが少なくなり、家具類の配置に思案を来たしていた。【０００６】  本考案は、このような不便を解決しようとするものであり、壁面上部空間の有効利用で、上下可能のハイキャビネットを実現することを目的とするものである。
【課題を解決するための手段】
【０００７】  本考案は、ハイキャビネットと、ガイドレール固定基盤と、昇降装置の構成からなる上下自在収納具で、部屋の壁面上部空間の有効利用を可能とするものである。セットされたガイドレール固定基盤を壁面上部の、壁軸組に直接固定ビスで止める。次に背面にガイド具を付けたハイキャビネットをガイドレール兼竪枠の溝に下から入れ、各昇降用具の先行取り付け及び昇降用ワイヤーを昇降用滑車に通してから、上部位置で上落下防止金具を利かせる。以後、昇降用ワイヤーを下部重量箱両端固定のレベル調整金具のボルト頭部に結締、最後にバランス及びレベル調整を行い試運転で完了となるが、稼働時のバランスは下部に吊り下げた分銅装具と予備分銅で簡単に調整が出来る昇降式ハイキャビネットを設けて解決する。
【考案の効果】
【０００８】  上述の様に、本考案の昇降式ハイキャビネットは、壁面上部の空間有効利用と、適性の高さまで下がり使い易すい。【０００９】  前記昇降式ハイキャビネットは、上部の空間有効利用で部屋を広く使えよう改善される。【００１０】  前記昇降式ハイキャビネットの設置高さは、入居者の頭が当たらない高さに設けること  により安心して下を通ることが出来る。【００１１】  前記昇降式ハイキャビネットの操作は、バランス方式の為ほんの僅かな人力で操作が簡単に出来る。【００１２】  前記昇降式ハイキャビネットの稼働時のバランス調整は、下部分銅装具と予備分銅で簡単に調整が出来る。
【図面の簡単な説明】
【００１３】
【図１】  本考案の、昇降式ハイキャビネットの昇降を示す斜視図である。
【図２】  同昇降式ハイキャビネットの平面断面図である。
【図３】  同昇降式ハイキャビネットの側面断面図である。
【図４】  同昇降式ハイキャビネットの表面断面図である。
【図５】  同昇降式ハイキャビネットの設置位置図である。
【考案を実施するための形態】
【００１４】  以下、本考案の実施の形態を添付図面、図１〜図５に基づいて説明する。
【００１５】  図において、昇降式ハイキャビネット１本体は、主要の剛性背板２と両側板３と天板４と底板５と中仕切６の仕組みで、その本体背面の上部両側に主ガイド１０を取り付け、表面には各開き扉７を吊り内部には可動棚８を配列した。
操作ハンドル９と落下防止金具１１は底板５に取り付け、次に側板３の左右何れ下部に上昇防止金具１２を設ける。
【００１６】  ガイドレール固定基盤１４本体は、主要の剛性パネル１５に両側にガイドレール兼用竪枠１７と、上部に昇降用滑車２１の受木上枠１８を取り付け、下部は下枠２０を固定ビス１６で止め、その中央部に最下防止Ｌ型金具１３を取り付け点検用パネル２０で蓋をする。
【００１７】  昇降装置は、上部の受木上枠１８に昇降用滑車２１を二箇所に吊り、昇降用ワイヤー２２の端部を、ハイキャビネット１の剛性背板２背面の両側ガイド具１０下部小口に結締、次に昇降用滑車２１に通して下部の、重量箱２３両端固定のレベル調整金具２７ボルト頭部に結締。以後、予備重り２６使用によるバランスとレベル調整と試運転を行い、最後に分銅装具２５を吊り下げる。
【００１８】  操作方法及び留意点は、双方の重量バランスは推定積載荷重でセットする、稼働時のバランス調整は分銅装具２５と予備分銅２６で調整する。次に操作方法は、操作ハンドルを掴んで上下操作のみで、下部の定位置に着くと自動的に引っかかる上昇防止金具１２で止まる。
【００１９】  以下、上記構成の設置方法を箇条書きで説明する。
１  準備として、ハイキャビネット１とガイドレール固定基盤１４の先行付属類は順序良    く取り付けておく。
２  壁面２９の設置周りの壁軸組３０位置を確認する。
３  上記決定位置にスミ出しをして軸組位置を再確認する。
４  ガイドレール固定基盤１４の剛性パネル１５表面に軸組位置を記入して固定ビス１６    の仮穴を明ける。
５  ガイドレール固定基盤１４を位置に取り付け固定ビス１６で締め付ける。
６  ハイキャビネット１背面のガイド具１０を、両側のガイドレール溝に通して上部位置    まで持ち上げ、落下防止金具を利かす。
７  同上直下に重量箱２３をセットして、両端のレベル調整金具２７のボルト頭部に昇降    用ワイヤー２２を結締処置する。
８  本体重量と推測積載荷重を考慮して、バランスの具合とレベル調整と試運転を行う。
９  最後に分銅装具２５を吊り下げ、下部点検用パネル２０を閉じて完了。
【符号の説明】
【００２０】  １    ハイキャビネット
２    剛性背板
３    側板
４    天板
５    底板
６    中仕切板
７    開き扉
８    可動棚
９    操作ハンドル
１０    ガイド具
１１    落下防止金具
１２    上昇防止金具
１３    最下防止Ｌ金具
１４    ガイドレール固定基盤
１５    剛性パネル
１６    固定ビス
１７    ガイドレール兼竪枠
１８    受木上枠
１９    下枠
２０    下部点検用パネル
２１    昇降用滑車
２２    昇降用ワイヤー
２３    重量箱
２４    予備重り
２５    分銅装具
２６    予備分銅
２７    レベル調整金具
２８    天井面
２９    壁面
３０    壁軸組
【図１】
0003210593.tif 000003
【図２】
0003210593.tif 000004
【図３】
0003210593.tif 000005
【図４】
0003210593.tif 000006
【図５】
0003210593.tif 000007